【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
蒸留水、トリエタノールアミン、ポリマーク−ポリカルボキシレート、ベンゾトリアゾール、テトラ硼酸ナトリウム、硝酸ナトリウム、亜硝酸ナトリウム、硫化ナトリウム、硫化カリウム、クロム酸ナトリウム、安息香酸ナトリウム、水酸化ナトリウム、カルシウムシアナミド、およびシリコーンオイルを含む凍結および腐食に対するインヒビターであって、
合計が１００重量部である時、蒸留水を７８−９７．４２重量部、トリエタノールアミンを０．６−３．６重量部、ポリマーク−ポリカルボキシレートを０．６−３．４重量部、ベンゾトリアゾールを０．５−４．８重量部、テトラ硼酸ナトリウムを０．２−０．８重量部、硝酸ナトリウムを０．２−０．４５重量部、亜硝酸ナトリウムを０．１５−０．４５重量部、硫化ナトリウムを０．１−１．４重量部、硫化カリウムを０．１３−２．９重量部、クロム酸ナトリウムを０．１−１．０重量部、安息香酸ナトリウムを０．１−０．４５重量部、水酸化ナトリウムを０．０３−０．１重量部、カルシウムシアナミドを０．２−０．９重量部、およびシリコーンオイルを０．００５重量部で含み、
さらにメタ硼酸ナトリウムを０．２−０．８重量部で含む、凍結および腐食に対するインヒビター。
【請求項２】
蒸留水、トリエタノールアミン、ポリマーク−ポリカルボキシレート、ベンゾトリアゾール、テトラ硼酸ナトリウム、硝酸ナトリウム、亜硝酸ナトリウム、硫化ナトリウム、硫化カリウム、クロム酸ナトリウム、安息香酸ナトリウム、水酸化ナトリウム、カルシウムシアナミド、およびシリコーンオイルを含む凍結および腐食に対するインヒビターであって、
合計が１００重量部である時、蒸留水を１０．０重量部、ポリマーク−ポリカルボキシレートを１．０−１．６重量部、ベンゾトリアゾールを１．０−４．２重量部、トリエタノールアミンを０．８−１．６重量部、テトラ硼酸ナトリウムを０．３−０．９重量部、硝酸ナトリウムを０．３５−０．７重量部、亜硝酸ナトリウムを０．２−０．６重量部、硫化ナトリウムを０．３−２．２重量部、硫化カリウムを０．２５−１．２重量部、クロム酸ナトリウムを０．２−１．２重量部、安息香酸ナトリウムを０．３−１．２重量部、水酸化ナトリウムを０．０３−０．０８重量部、カルシウムシアナミドを０．４５−１．２重量部、およびシリコーンオイルを０．００５重量部で含み、
さらにグリセリンを６３．５５−８２．９５重量部、メタシリケートナトリウムを０．２−０．９重量部、ジクロム酸カリウムを０．３−１．１重量部、トリポリリン酸ナトリウムを０．２−０．７５重量部、ベンゾールスルファミドを０．３−１．０重量部で含む、凍結および腐食に対するインヒビター。
【手続補正２】
【補正対象書類名】明細書
【補正対象項目名】０００１
【補正方法】変更
【補正の内容】
【０００１】
凍結および腐食に対する無毒性水性液体溶液配合物
本発明のエッセンスおよび説明
本発明は、無毒性の冷却液体（防氷／凍結防止）であって、９６％の濃度まで、自動的に使用可能である無毒性ベースの水性溶液としてデザインされる。この冷却液は、濃縮液として、または蒸留水で薄められて使用することができる。それは即座に使用可能である。本発明は新規（新技術）であり、リソースフル(resourceful)であり、特許出願のその日に適用可能である。それは無毒性で、無害である。
本発明は、分離独立した発明として適用可能な２つの発明に関するが、技術的および化学的にはそれらは互いに関連を有する。
すべての内燃機関、およびすべての冷却および加熱システムのための、凍結および腐食に対する無毒性水性液体溶液配合物の発明を得る手続きは、無毒性ベースでなされた。
それが利用された凍結防止剤に対する腐食に対するインヒビターの水性溶液配合物の発明から独立した発明として適用される場合、表Ａに与えられた化学配合物を最初に適用する。
９６％までの熱交換用の濃縮液体の流体冷却液として使用できる本発明は、希釈することなく、そのまま液体として使用することができる。第１のケースでは、温度は−３８℃から＋１１５℃まで、第２のケースでは−７８℃から＋１６０℃までである。
世界中および、およびセルビアモンテネグロにおける公知の凍結防止剤は、モノ−エチレングリコール、エチレングリコールおよびプロピレングリコールから凍結防止剤を生産する。そのような種類の合成化合物成分を含む凍結防止剤は、キセノバイオティクス(xenobyotics)であり、それらの凍結防止剤が有毒であり、人間の健康、動物および植物に非常に有害であるという事実は既知である。
凍結および腐食に対する無毒性水性液体溶液配合物の発明は、それが無毒性であるということにより特徴づけられる。なぜなら支配的な化合物が天然生成物であるグリセリンであるからである。更に、それは表Ａに示される無毒性の添加剤を含むという事実によって特徴づけられる。本発明は世界中で製造されている公知の凍結防止剤に対して新規な腐食防止保護を提供する。現在公知の凍結防止剤では、たとえば、以下のような、３−４の支配的な添加剤がある：硝酸ナトリウム、亜硝酸ナトリウム、安息香酸ナトリウム。それらは十分な腐食防止保護をするのには十分でない。明細書に記載されるように、この配合物に添加剤を加えることにより、技術的品質により特に特徴づけられ、ポリ−カーボン−キシレートが完全に調整され、すべての金属が保護される。
この冷却液流体では、新規化学物質流体が適用可能である。それは無毒であり、もく有毒性があるとしても食品産業の中で使用される添加剤のための許可されたレベルを超えない。
新規な物質および添加剤は次のとおりである：多価アルコール−グリセリン、ポリ―カーボン−キシレート、トリ−エタノールアミン、ベンゾ−トリアゾール、硫化カリウム、水酸化物ナトリウム、および明細書の、凍結および腐食に対する無毒性水性液体溶液配合物の発明の表Ａ中の他の添加剤である。
利用された凍結防止剤に対する腐食に対するインヒビターの水性溶液配合物の発明は第一の手順から独立した発明であり、独立した用途を有し、特に製造および用途について調整されている。この配合物の製造手順において、化学構造および物質が第２の手順および表Ｂに示される。利用された凍結防止剤に対する腐食に対するインヒビターの水性溶液配合物の発明の手順、および凍結および腐食に対する無毒性水性液体溶液配合物の発明からの流体保護のためのインヒビターに関する。これらの配合物の生産方法では、化学式と物質は第２の手続きおよび表Ｂで与えられる。この手順は、利用された凍結防止剤に対する腐食に対するインヒビターの水性溶液配合物の発明および、凍結および腐食に対する無毒性水性液体溶液配合物の発明からの流体製造のためのインヒビターに関する。
これらの発明は添加剤で設計されている。それは表Ｂ中で与えられ、腐食からの有効保護のための新規なものである。
本発明の適用は当該技術分野においては知られていない。なぜなら、それは利用された凍結防止剤に対する腐食に対するインヒビターの水性溶液配合物の発明において述べられている、利用された、冷却液−凍結防止液中で少量で使用可能だからである。それは直ちに適用可能である。本発明は、いくつかの添加剤から成り、利用された凍結防止剤のための改質剤および再生剤として有効であるので、本発明は新規である。
本発明の配合物により調製されたインヒビターは、凍結および腐食に対する無毒性水性液体溶液配合物の発明の製造のために使用することができる。これは製造プロセスを改良し、この配合物により、より効果的であり、すぐに適用可能である腐食防止剤が得られる。
両発明は類似するカテゴリーにあるが、それらは独立である。なぜなら、それらは発明者の思想により結合され、それらの間には技術的−化学的な関連がある。
本発明の利用された凍結防止剤に対する腐食に対するインヒビターの水性溶液配合物は、凍結および腐食に対する無毒性水性液体溶液配合物の発明において特に適用可能である。手順において依存するが、手順および配合物は互いに別個独立に調整される。
本発明の利用された凍結防止剤に対する腐食に対するインヒビターの水性溶液配合物は、凍結および腐食に対する無毒性水性液体溶液配合物の発明の製造に際して、再生剤およびインヒビターとして適用される。
本発明の利用された凍結防止剤に対する腐食に対するインヒビターの水性溶液配合物は、効果的であり、使用された凍結防止剤の寿命を少なくとも２年間伸ばし、エンジン内の腐食を１００％停止させ、凍結防止剤同様新規である。
第２の配合物も、それが腐食を有効に止めるという事実によって特徴づけられる。それは凍結防止剤の利用および貧弱な腐食防止保護のために開始する。本発明の配合物は、完全に腐食からエンジンを保護し、凝固点を低下させ、少量で適用される凍結防止剤の交換頻度を減らす。この配合物により、凍結防止剤の寿命は伸ばされ、それは凍結防止剤を再生し、改質剤として作用する。この生成物は世界で知られていない。